(57)【要約】【課題】過給機が自立するまでの時間を短縮することが可能な廃棄物供給システムを提供すること。【解決手段】廃棄物処理システムであって、焼却炉（１０）と、圧縮機（２１）及びタービン（２２）を含む過給機（２０）と、空気予熱器（３０）と、圧縮機から吐出された空気を焼却炉（１０）に供給する空気供給流路（Ｌ１）と、タービン（２２）を駆動可能な駆動温度と、駆動圧力及び駆動風量の少なくとも一方と、を有するタービン駆動ガスをタービン（２２）に供給する駆動ガス生成部（４０）と、空気供給流路（Ｌ１）のうち空気予熱器（３０）とタービン（２２）との間の部位に設けられており空気予熱器（３０）から排出された空気を加熱する加熱器（５０）と、空気供給流路（Ｌ１）のうち加熱器（５０）とタービン（２２）との間に設けられており加熱器（５０）から排出された空気のタービン（２２）への流入量を調整可能な流量調整弁（Ｖ３）と、を備えること。【選択図】図１
2018025325.tif 000002
【特許請求の範囲】
【請求項１】
廃棄物を処理する廃棄物処理システムであって、
廃棄物を燃焼する焼却炉と、
空気を圧縮する圧縮機、及び、前記圧縮機に接続されており当該圧縮機を駆動可能なタービンを含む過給機と、
前記圧縮機から吐出された空気と前記焼却炉から排出された排ガスとを熱交換させることによって前記空気を加熱する空気予熱器と、
前記圧縮機、前記空気予熱器、前記タービン及び前記焼却炉をこの順に接続しており、前記圧縮機から吐出された空気を前記焼却炉に供給する空気供給流路と、
前記タービンを駆動可能な駆動温度と、前記タービンを駆動可能な駆動圧力及び駆動風量の少なくとも一方と、を有するタービン駆動ガスを前記タービンに供給する駆動ガス生成部と、
前記空気供給流路のうち前記空気予熱器と前記タービンとの間の部位に設けられており、前記空気予熱器から排出された空気を加熱する加熱器と、
前記空気供給流路のうち前記加熱器と前記タービンとの間に設けられており、前記加熱器から排出された空気の前記タービンへの流入量を調整可能な流量調整弁と、を備える、廃棄物処理システム。
【請求項２】
請求項１に記載の廃棄物処理システムにおいて、
前記加熱器から排出された空気の温度が前記駆動温度になるように前記加熱器での前記空気の加熱量を調整する制御部をさらに備える、廃棄物処理システム。
【請求項３】
請求項２に記載の廃棄物処理システムにおいて、
前記加熱器は、
前記空気予熱器から排出された空気を加熱する燃焼部と、
前記燃焼部に燃料を供給する燃料供給ラインと、
前記燃焼部に燃焼用ガスを供給するガス供給ラインと、
前記燃料供給ラインに設けられた第１開閉弁と、
前記ガス供給ラインに設けられた第２開閉弁と、を有し、
前記制御部は、前記加熱器から排出された空気の温度が前記駆動温度になるように前記第１開閉弁の開度を調整する、廃棄物処理システム。
【請求項４】
請求項３に記載の廃棄物処理システムにおいて、
前記加熱器から排出された排ガスを前記焼却炉に供給する熱エネルギー導入流路をさらに備える、廃棄物処理システム。
【請求項５】
請求項２ないし４のいずれかに記載の廃棄物処理システムにおいて、
前記制御部は、前記加熱器から排出された空気の温度が前記駆動温度であるときに前記流量調整弁の開度を大きくする、廃棄物処理システム。
【請求項６】
請求項５に記載の廃棄物処理システムにおいて、
前記制御部は、前記加熱器から排出された空気の温度が前記駆動温度になった後、前記空気供給流路を通じて前記タービンに流入する空気の温度が前記駆動温度になることと、前記タービンに流入する空気の圧力が前記駆動圧力になること及び前記タービンに流入する空気の風量が前記駆動風量になることの少なくとも一方と、が満たされるように、前記流量調整弁の開度を次第に大きくする、廃棄物処理システム。
【請求項７】
請求項６に記載の廃棄物処理システムにおいて、
前記制御部は、前記流量調整弁の開度が最大になった後、前記空気供給流路を通じて前記タービンに流入する空気の温度が前記駆動温度になることと、前記空気供給流路を通じて前記タービンに流入する空気の圧力が前記駆動圧力になること及び前記空気供給流路を通じて前記タービンに流入する空気の風量が前記駆動風量になることの少なくとも一方と、を満たしたときに、前記駆動ガス生成部を停止する、廃棄物処理システム。
【請求項８】
請求項７に記載の廃棄物処理システムにおいて、
前記制御部は、前記空気供給流路のうち前記空気予熱器と前記加熱器との間の部位の温度が前記駆動温度であるときに、前記空気予熱器から排出された空気の前記加熱器での加熱を停止する、廃棄物処理システム。
【請求項９】
請求項２ないし６のいずれかに記載の廃棄物処理システムにおいて、
前記駆動ガス生成部は、
加圧燃焼部と、
前記加圧燃焼部に空気を供給可能でかつ当該空気の風量を調整可能な空気供給装置と、
前記加圧燃焼部に燃料を供給する燃料供給部と、を有する、廃棄物処理システム。
【請求項１０】
請求項１ないし９のいずれかに記載の廃棄物処理システムにおいて、
前記空気供給流路のうち前記加熱器と前記流量調整弁との間の部位と、前記焼却炉と、を接続するバイパス流路をさらに備える、廃棄物処理システム。
【請求項１１】
廃棄物を燃焼する焼却炉と、空気を圧縮する圧縮機、及び、前記圧縮機に接続されており当該圧縮機を駆動可能なタービンを含む過給機と、前記圧縮機から吐出された空気と前記焼却炉から排出された排ガスとを熱交換させることによって前記空気を加熱する空気予熱器と、前記圧縮機、前記空気予熱器、前記タービン及び前記焼却炉をこの順に接続しており、前記圧縮機から吐出された空気を前記焼却炉に供給する空気供給流路と、前記タービンを駆動可能な駆動温度と、前記タービンを駆動可能な駆動圧力及び駆動風量の少なくとも一方と、を有するタービン駆動ガスを前記タービンに供給する駆動ガス生成部と、前記空気供給流路のうち前記空気予熱器と前記タービンとの間の部位に設けられており、前記空気予熱器から排出された空気を加熱する加熱器と、前記空気供給流路のうち前記加熱器と前記タービンとの間に設けられており、前記加熱器から排出された空気の前記タービンへの流入量を調整可能な流量調整弁と、を備える、廃棄物処理システムの起動方法であって、
前記加熱器から排出された空気の温度が前記駆動温度になるように前記加熱器での前記空気の加熱量を調整する工程を含む、廃棄物処理システムの起動方法。
【請求項１２】
請求項１１に記載の廃棄物処理システムの起動方法において、
前記加熱器から排出された空気の温度が前記駆動温度になった後、前記空気供給流路を通じて前記タービンに流入する空気の温度が前記駆動温度になることと、前記タービンに流入する空気の圧力が前記駆動圧力になること及び前記タービンに流入する空気の風量が前記駆動風量になることの少なくとも一方と、が満たされるように、前記流量調整弁の開度を次第に大きくする工程をさらに含む、廃棄物処理システムの起動方法。
【請求項１３】
請求項１２に記載の廃棄物処理システムの起動方法において、
前記流量調整弁の開度が最大になった後、前記空気供給流路を通じて前記タービンに流入する空気の温度が前記駆動温度になることと、前記空気供給流路を通じて前記タービンに流入する空気の圧力が前記駆動圧力になること及び前記空気供給流路を通じて前記タービンに流入する空気の風量が前記駆動風量になることの少なくとも一方と、を満たしたときに、前記駆動ガス生成部を停止する工程をさらに含む、廃棄物処理システムの起動方法。
【請求項１４】
請求項１３に記載の廃棄物処理システムの起動方法において、
前記空気供給流路のうち前記空気予熱器と前記加熱器との間の部位の温度が前記駆動温度であるときに、前記空気予熱器から排出された空気の前記加熱器での加熱を停止する工程をさらに含む、廃棄物処理システムの起動方法。
【発明の詳細な説明】
【技術分野】
【０００１】
本発明は、廃棄物を処理する廃棄物処理システムに関するものである。
【背景技術】
【０００２】
従来、下水の汚泥等の廃棄物を処理する廃棄物処理システムが知られている。例えば、特許文献１には、廃棄物を燃焼する焼却炉と、圧縮機及びタービンを含む過給機と、空気予熱器と、燃焼空気供給流路と、バイパス流路と、補助送風機と、を備える廃棄物処理システムが開示されている。
【０００３】
圧縮機は、外部から吸い込んだ空気を圧縮する。タービンは、圧縮機に接続されており当該圧縮機を駆動する。空気予熱器は、圧縮機から吐出された空気と焼却炉から排出された排ガスとを熱交換させることによって空気を加熱する。燃焼空気供給流路は、圧縮機、空気予熱器、タービン及び焼却炉をこの順に接続している。つまり、燃焼空気供給流路は、圧縮機から吐出された空気を焼却炉での廃棄物の焼却に必要な燃焼空気として焼却炉に導く流路である。バイパス流路は、タービンをバイパスしている。補助送風機は、燃焼空気供給流路のうち圧縮機と空気予熱器との間の部位に空気を供給する。
【０００４】
特許文献１に記載の廃棄物処理システムでは、当該システムの始動時には、補助送風機によって焼却炉に空気が供給され、タービンが駆動可能な状態に達した後に、補助送風機が停止され、圧縮機及びタービンを介して焼却炉に燃焼空気が供給される。具体的に、廃棄物処理システムの始動時には、空気予熱器に流入する排ガスの有する熱エネルギーが少ないので、すなわち、圧縮機から吐出された空気が空気予熱器で受け取る熱が少ないので、燃焼空気供給流路を通じてタービンに流入する空気によってタービンを安定的に駆動することが困難である。このため、当該システムの始動時には、補助送風機から送出された空気がバイパス流路を介して（タービンをバイパスして）焼却炉に供給される。これにより、焼却炉において廃棄物が有効に燃焼される。そして、焼却炉から排出される排ガスの有する熱エネルギーが大きくなり、空気予熱器で前記排ガスから熱を受け取った空気によってタービンを駆動することが可能な状態に達したときに、圧縮機から吐出された後に空気予熱器から排出された空気がタービンに供給される。これにより、圧縮機から吐出された空気によるタービンの駆動（圧縮機の駆動）が可能となるので、換言すれば、過給機が自立するので、補助送風機が停止されるとともに、バイパス流路が遮断される。
【先行技術文献】
【特許文献】
【０００５】
【特許文献１】特開２００６−１９２４０６号公報
【発明の概要】
【発明が解決しようとする課題】
【０００６】
特許文献１に記載されるような廃棄物処理システムでは、当該システムの始動から過給機が自立するまで（圧縮機から吐出された空気によってタービンが駆動可能な状態になるまで）に長い時間を要する。このため、当該システムの始動から過給機が自立するまで駆動される補助送風機の消費電力が大きくなる。
【０００７】
本発明の目的は、過給機が自立するまでの時間を短縮することが可能な廃棄物供給システム及びその起動方法を提供することである。
【課題を解決するための手段】
【０００８】
前記課題を解決する手段として、本発明は、廃棄物を処理する廃棄物処理システムであって、廃棄物を燃焼する焼却炉と、空気を圧縮する圧縮機、及び、前記圧縮機に接続されており当該圧縮機を駆動可能なタービンを含む過給機と、前記圧縮機から吐出された空気と前記焼却炉から排出された排ガスとを熱交換させることによって前記空気を加熱する空気予熱器と、前記圧縮機、前記空気予熱器、前記タービン及び前記焼却炉をこの順に接続しており、前記圧縮機から吐出された空気を前記焼却炉に供給する空気供給流路と、前記タービンを駆動可能な駆動温度と、前記タービンを駆動可能な駆動圧力及び駆動風量の少なくとも一方と、を有するタービン駆動ガスを前記タービンに供給する駆動ガス生成部と、前記空気供給流路のうち前記空気予熱器と前記タービンとの間の部位に設けられており、前記空気予熱器から排出された空気を加熱する加熱器と、前記空気供給流路のうち前記加熱器と前記タービンとの間に設けられており、前記加熱器から排出された空気の前記タービンへの流入量を調整可能な流量調整弁と、を備える、廃棄物処理システムを提供する。
【０００９】
本廃棄物処理システムでは、駆動ガス生成部、加熱器及び流量調整弁を有しているので、過給機の起動時に駆動ガス生成部からタービン駆動ガスをタービンに供給することによりタービンが安定的に起動される。そして、空気予熱器から排出された後に加熱器で加熱された空気の温度が駆動温度と同程度となったときに流量調整弁を開くことにより、タービンに対してタービン駆動ガスと同程度のエネルギーを有する空気が供給されるので、早期にタービン（過給機）が自立する。
【００１０】
この場合において、前記加熱器から排出された空気の温度が前記駆動温度になるように前記加熱器での前記空気の加熱量を調整する制御部をさらに備えることが好ましい。
【００１１】
このようにすれば、加熱器から排出された空気の温度が自動で駆動温度に制御される。よって、過給機が早期にかつ安定的に自立する。
【００１２】
具体的に、前記加熱器は、前記空気予熱器から排出された空気を加熱する燃焼部と、前記燃焼部に燃料を供給する燃料供給ラインと、前記燃焼部に燃焼用ガスを供給するガス供給ラインと、前記燃料供給ラインに設けられた第１開閉弁と、前記ガス供給ラインに設けられた第２開閉弁と、を有し、前記制御部は、前記加熱器から排出された空気の温度が前記駆動温度になるように前記第１開閉弁の開度を調整することが好ましい。
【００１３】
このようにすれば、第１開閉弁の開度の調整により加熱器から排出された空気の温度が駆動温度に制御される。
【００１４】
さらにこの場合において、前記加熱器から排出された排ガスを前記焼却炉に供給する熱エネルギー導入流路をさらに備えることが好ましい。
【００１５】
このようにすれば、加熱器から排出された排ガスの熱が焼却炉に供給されるので、焼却炉の温度（焼却炉から排出される排ガスの温度）が有効に上昇する。
【００１６】
また、前記廃棄物処理システムにおいて、前記制御部は、前記加熱器から排出された空気の温度が前記駆動温度であるときに前記流量調整弁の開度を大きくすることが好ましい。
【００１７】
このようにすれば、加熱器から排出された空気の温度が駆動温度であるときに当該空気が自動でタービンに供給される。
【００１８】
より詳細には、前記制御部は、前記加熱器から排出された空気の温度が前記駆動温度になった後、前記空気供給流路を通じて前記タービンに流入する空気の温度が前記駆動温度になることと、前記タービンに流入する空気の圧力が前記駆動圧力になること及び前記タービンに流入する空気の風量が前記駆動風量になることの少なくとも一方と、が満たされるように、前記流量調整弁の開度を次第に大きくすることが好ましい。
【００１９】
このようにすれば、加熱器から排出された空気が駆動ガス生成部の供給するタービン駆動ガスと混合される際におけるガスの変動が抑制されるので、タービンのより安定的な駆動が確保される。
【００２０】
この場合において、前記制御部は、前記流量調整弁の開度が最大になった後、前記空気供給流路を通じて前記タービンに流入する空気の温度が前記駆動温度になることと、前記空気供給流路を通じて前記タービンに流入する空気の圧力が前記駆動圧力になること及び前記空気供給流路を通じて前記タービンに流入する空気の風量が前記駆動風量になることの少なくとも一方と、を満たしたときに、前記駆動ガス生成部を停止することが好ましい。
【００２１】
このようにすれば、過給機が自立可能となったときに駆動ガス生成部が停止されるので、過給機の自立に必要な動力が低減される。
【００２２】
さらにこの場合において、前記制御部は、前記空気供給流路のうち前記空気予熱器と前記加熱器との間の部位の温度が前記駆動温度であるときに、前記空気予熱器から排出された空気の前記加熱器での加熱を停止することが好ましい。
【００２３】
このようにすれば、加熱器に供給される動力が低減される。
【００２４】
また、前記廃棄物処理システムにおいて、前記駆動ガス生成部は、加圧燃焼部と、前記加圧燃焼部に空気を供給可能でかつ当該空気の風量を調整可能な空気供給装置と、前記加圧燃焼部に燃料を供給する燃料供給部と、を有することが好ましい。
【００２５】
このようにすれば、空気供給装置の回転数の調整により、加圧燃焼部から排出されるガスの圧力及び風量が調整されるので、タービンへのタービン駆動ガスの供給が容易になる。
【００２６】
また、前記廃棄物処理システムにおいて、前記空気供給流路のうち前記加熱器と前記流量調整弁との間の部位と、前記焼却炉と、を接続するバイパス流路をさらに備えることが好ましい。
【００２７】
このようにすれば、流量調整弁が開かれるまでは、空気予熱器及び加熱器で加熱された空気がバイパス流路を通じて焼却炉内に供給されるので、焼却炉の温度（焼却炉から排出される排ガスの温度）が有効に上昇する。
【００２８】
また、本発明は、廃棄物を燃焼する焼却炉と、空気を圧縮する圧縮機、及び、前記圧縮機に接続されており当該圧縮機を駆動可能なタービンを含む過給機と、前記圧縮機から吐出された空気と前記焼却炉から排出された排ガスとを熱交換させることによって前記空気を加熱する空気予熱器と、前記圧縮機、前記空気予熱器、前記タービン及び前記焼却炉をこの順に接続しており、前記圧縮機から吐出された空気を前記焼却炉に供給する空気供給流路と、前記タービンを駆動可能な駆動温度と、前記タービンを駆動可能な駆動圧力及び駆動風量の少なくとも一方と、を有するタービン駆動ガスを前記タービンに供給する駆動ガス生成部と、前記空気供給流路のうち前記空気予熱器と前記タービンとの間の部位に設けられており、前記空気予熱器から排出された空気を加熱する加熱器と、前記空気供給流路のうち前記加熱器と前記タービンとの間に設けられており、前記加熱器から排出された空気の前記タービンへの流入量を調整可能な流量調整弁と、を備える、廃棄物処理システムの起動方法であって、前記加熱器から排出された空気の温度が前記駆動温度になるように前記加熱器での前記空気の加熱量を調整する工程を含む、廃棄物処理システムの起動方法を提供する。
【００２９】
この場合において、前記加熱器から排出された空気の温度が前記駆動温度になった後、前記空気供給流路を通じて前記タービンに流入する空気の温度が前記駆動温度になることと、前記タービンに流入する空気の圧力が前記駆動圧力になること及び前記タービンに流入する空気の風量が前記駆動風量になることの少なくとも一方と、が満たされるように、前記流量調整弁の開度を次第に大きくする工程をさらに含むことが好ましい。
【００３０】
さらにこの場合において、前記流量調整弁の開度が最大になった後、前記空気供給流路を通じて前記タービンに流入する空気の温度が前記駆動温度になることと、前記空気供給流路を通じて前記タービンに流入する空気の圧力が前記駆動圧力になること及び前記空気供給流路を通じて前記タービンに流入する空気の風量が前記駆動風量になることの少なくとも一方と、を満たしたときに、前記駆動ガス生成部を停止する工程をさらに含むことが好ましい。
【００３１】
加えて、前記空気供給流路のうち前記空気予熱器と前記加熱器との間の部位の温度が前記駆動温度であるときに、前記空気予熱器から排出された空気の前記加熱器での加熱を停止する工程をさらに含むことが好ましい。
【発明の効果】
【００３２】
以上のように、本発明によれば、過給機が自立するまでの時間を短縮することが可能な廃棄物供給システムを提供することが可能となる。
【図面の簡単な説明】
【００３３】
【図１】本発明の一実施形態の廃棄物処理システムの概略を示す図である。
【図２】図１に示される廃棄物処理システムの制御部の制御内容を示すフローチャートである。
【図３】図１に示される廃棄物処理システムの制御部の制御内容を示すフローチャートである。
【発明を実施するための形態】
【００３４】
本発明の一実施形態の廃棄物処理システムについて、図１〜図３を参照しながら説明する。
【００３５】
図１に示されるように、本実施形態の廃棄物処理システムは、焼却炉１０と、過給機２０と、空気予熱器３０と、空気供給流路Ｌ１と、駆動ガス生成部４０と、加熱器５０と、制御部６０と、を備えている。
【００３６】
焼却炉１０は、下水の汚泥等の廃棄物を焼却する炉である。
【００３７】
過給機２０は、圧縮機２１と、タービン２２と、を有している。圧縮機２１は、外部から吸い込んだ空気を圧縮する。タービン２２は、圧縮機２１に接続されている。このため、タービン２２の回転により圧縮機２１が駆動される。タービン２２から排出された空気は、燃焼用空気として焼却炉１０に供給される。
【００３８】
空気予熱器３０は、焼却炉１０から排出された排ガスによって圧縮機２１から吐出された空気を加熱する。なお、焼却炉１０から排出された排ガスは、焼却炉１０の上部と空気予熱器３０の上部とを接続する排ガスラインＬ２を通じて空気予熱器３０に流入する。空気予熱器３０において空気を加熱した後に当該空気予熱器３０から排出される排ガスは、空気予熱器３０の下流側に配置される処理設備で適宜処理される。
【００３９】
空気供給流路Ｌ１は、圧縮機２１、空気予熱器３０、タービン２２及び焼却炉１０をこの順に接続している。このため、圧縮機２１から吐出された空気は、空気予熱器３０及びタービン２２を経由して焼却炉１０に供給される。
【００４０】
駆動ガス生成部４０は、タービン２２に対し、当該タービン２２を駆動可能な駆動温度と、当該タービン２２を駆動可能な駆動圧力及び駆動風量の少なくとも一方と、を有するタービン駆動ガスを供給する。本実施形態では、駆動ガス生成部４０として、加圧バーナが用いられている。すなわち、駆動ガス生成部４０は、加圧燃焼部４１と、空気供給装置４２と、燃料供給部４３と、ガス冷却機構４４と、を有している。空気供給装置４２は、加圧燃焼部４１に空気を供給可能でかつ加圧燃焼部４１に供給する空気の風量を調整可能である。本実施形態では、空気供給装置４２として、ブロワが用いられている。ただし、空気供給装置４２は、ブロワに限られない。燃料供給部４３は、加圧燃焼部４１に燃料を供給する。燃料供給部４３には、第５開閉弁Ｖ５が設けられている。ガス冷却機構４４は、加圧燃焼部４１から排出されたガスを冷却する。本実施形態では、ガス冷却機構４４は、空気供給装置４２から排出された後で加圧燃焼部４１に供給される前の空気の一部を加圧燃焼部４１から排出された高温のガスに合流させる流路である。なお、ガス冷却機構４４の構成は、これに限られない。また、本実施形態では、駆動ガス生成部４０で生成されたタービン駆動ガスは、空気供給流路Ｌ１を介してタービン２２に供給される。ただし、駆動ガス生成部４０は、タービン駆動ガスを直接タービン２２に供給してもよい。
【００４１】
加熱器５０は、空気供給流路Ｌ１のうち空気予熱器３０の下流側の部位に設けられている。加熱器５０は、空気予熱器３０から排出された空気を加熱する。本実施形態では、加熱器５０として、バーナが用いられている。すなわち、加熱器５０は、燃焼部５１と、燃焼部５１に燃料を供給する燃料供給ライン５２と、燃焼部５１に燃焼用ガスを供給する燃焼用ガス供給ライン５３と、燃料供給ライン５２に設けられた第１開閉弁Ｖ１と、燃焼用ガス供給ライン５３に設けられた第２開閉弁Ｖ２と、を有している。加熱器５０は、燃焼部５１につながる燃焼室と、加温室と、に区画されており、空気供給流路Ｌ１は、加温室に配置されている。加熱器５０には、加熱器５０の燃焼室から排出された排ガスを焼却炉１０に導入する熱エネルギー導入流路Ｌ３が接続されている。
【００４２】
本実施形態では、空気供給流路Ｌ１のうち加熱器５０とタービン２２との間に部位に流量調整弁Ｖ３が設けられている。より具体的には、流量調整弁Ｖ３は、空気供給流路Ｌ１のうち、加熱器５０と、空気供給流路Ｌ１と駆動ガス生成部４０との接続部と、の間の部位に設けられている。この流量調整弁Ｖ３は、加熱器５０から排出された空気のタービン２２への流入量を調整する。
【００４３】
また、本実施形態では、空気供給流路Ｌ１のうち加熱器５０と流量調整弁Ｖ３との間の部位と、焼却炉１０と、を接続するバイパス流路Ｌ４が設けられている。バイパス流路Ｌ４には、第４開閉弁Ｖ４が設けられている。この第４開閉弁Ｖ４は、加熱器５０から排出された空気の焼却炉１０への流入量を調整する。つまり、流量調整弁Ｖ３及び第４開閉弁Ｖ４の開度の調整により、加熱器５０から排出された空気のタービン２２への流入量と焼却炉１０への流入量とが調整される。
【００４４】
制御部６０は、過給機２０の始動時（起動時）において、早期に過給機２０が自立するように（圧縮機２１から吐出された空気によってタービン２２が駆動可能な状態になるように）駆動ガス生成部４０、加熱器５０、流量調整弁Ｖ３等を制御する。以下、図２及び図３を参照しながら、制御部６０の具体的な制御内容を説明する。
【００４５】
過給機２０の始動時は、流量調整弁Ｖ３は全閉であり、第４開閉弁Ｖ４は全開である。この状態において、制御部６０は、図２に示されるように、まず駆動ガス生成部（加圧バーナ）４０を駆動する（ステップＳ１１）。換言すれば、制御部６０は、空気供給装置４２を駆動するとともに第５開閉弁Ｖ５を開く。
【００４６】
そして、制御部６０は、加熱器（バーナ）５０から排出された空気の温度Ｔ１が第１基準温度ＴＬ以上であるか否かを判断する（ステップＳ１２）。この結果、前記温度Ｔ１が第１基準温度ＴＬ未満であれば、制御部６０は、燃焼部５１への燃料の供給量を増やすために第１開閉弁Ｖ１の開度を上げ（ステップＳ１３）、再びステップＳ１２に戻る。例えば、第１開閉弁Ｖ１の開度は、１分で１％の割合で調整される。一方、前記温度Ｔ１が第１基準温度ＴＬ以上であれば（ステップＳ１２でＹＥＳ）、制御部６０は、前記温度Ｔ１が第１基準温度ＴＬよりも高い第２基準温度ＴＨ以下であるか否かを判断する（ステップＳ１４）。その結果、前記温度Ｔ１が第２基準温度ＴＨよりも大きい場合、制御部６０は、燃焼部５１への燃料の供給量を減らすために第１開閉弁Ｖ１の開度を下げ（ステップＳ１５）、再びステップＳ１２に戻る。例えば、第１開閉弁Ｖ１の開度は、１分で１％の割合で調整される。ここで、第１基準温度ＴＬ及び第２基準温度ＴＨは、これら基準温度間にタービン駆動ガスの駆動温度が含まれる値に設定される。
【００４７】
ステップＳ１４において、前記温度Ｔ１が第２基準温度ＴＨ以下であれば（ステップＳ１４でＹＥＳ）、制御部６０は、加熱器５０から排出された空気の圧力Ｐ１が第１基準圧力ＰＬ以上であるか否かを判断する（ステップＳ１６）。この結果、前記圧力Ｐ１が第１基準圧力ＰＬ未満であれば、制御部６０は、加熱器５０から排出された空気の圧力を上げるために第４開閉弁Ｖ４の開度を下げ（ステップＳ１７）、再びステップＳ１６に戻る。例えば、第４開閉弁Ｖ４の開度は、１分で１％の割合で調整される。一方、前記圧力Ｐ１が第１基準圧力ＰＬ以上であれば（ステップＳ１６でＹＥＳ）、制御部６０は、前記圧力Ｐ１が第１基準圧力ＰＬよりも高い第２基準圧力ＰＨ以下であるか否かを判断する（ステップＳ１８）。その結果、前記圧力Ｐ１が第２基準圧力ＰＨよりも大きい場合、制御部６０は、加熱器５０から排出された空気の圧力を下げるために第４開閉弁Ｖ４の開度を上げ（ステップＳ１９）、再びステップＳ１６に戻る。例えば、第４開閉弁Ｖ４の開度は、１分で１％の割合で調整される。ここで、第１基準圧力ＰＬ及び第２基準圧力ＰＨは、これら基準圧力間にタービン駆動ガスの駆動圧力が含まれる値に設定される。
【００４８】
ステップＳ１８において、前記圧力Ｐ１が第２基準圧力ＰＨ以下であれば（ステップＳ１８でＹＥＳ）、制御部６０は、加熱器５０から排出された空気の風量Ｑ１が第１基準風量ＱＬ以上であるか否かを判断する（ステップＳ２０）。この結果、前記風量Ｑ１が第１基準風量ＱＬ未満であれば、制御部６０は、圧縮機２１の回転数、すなわち、タービン２２の回転数を増やすために加圧バーナの空気供給装置４２の回転数を上げ（ステップＳ２１）、再びステップＳ２０に戻る。例えば、空気供給装置４２の回転数は、１分で１％の割合で調整される。一方、前記風量Ｑ１が第１基準風量ＱＬ以上であれば（ステップＳ２０でＹＥＳ）、制御部６０は、前記風量Ｑ１が第１基準風量ＱＬよりも高い第２基準風量ＱＨ以下であるか否かを判断する（ステップＳ２２）。その結果、前記風量Ｑ１が第２基準風量ＱＨよりも大きい場合、制御部６０は、圧縮機２１の回転数（タービン２２の回転数）を減らすために空気供給装置４２の回転数を下げ（ステップＳ２３）、再びステップＳ２０に戻る。例えば、空気供給装置４２の回転数は、１分で１％の割合で調整される。ここで、第１基準風量ＱＬ及び第２基準風量ＱＨは、これら基準風量間にタービン駆動ガスの駆動風量が含まれる値に設定される。
【００４９】
なお、前記温度Ｔ１、前記圧力Ｐ１及び前記風量Ｑ１は、それぞれ、空気供給流路Ｌ１のうち加熱器５０と流量調整弁Ｖ３との間の部位に設けられた温度センサ７１、圧力センサ７２及び風量センサ７３により検出される。
【００５０】
次に、ステップＳ２２において、前記風量Ｑ１が第２基準風量ＱＨ以下であれば（ステップＳ２２でＹＥＳ）、すなわち、加熱器５０から排出された空気の温度、圧力及び風量がそれぞれ駆動温度、駆動圧力及び駆動風量となっていれば、制御部６０は、図３に示されるように、加熱器５０から排出された空気をタービン２２に供給するために流量調整弁Ｖ３の開度を大きくするとともに第４開閉弁Ｖ４の開度を小さくする（ステップＳ２４）。例えば、流量調整弁Ｖ３及び第４開閉弁Ｖ４の開度は、１分で１％の割合で調整される。
【００５１】
その後、制御部６０は、加熱器５０から排出された空気と駆動ガス生成部（加圧バーナ）４０から供給されたタービン駆動ガスとの混合ガス（タービン２２に流入するガス）の温度Ｔ２が前記第１基準温度ＴＬ以上であるか否かを判断する（ステップＳ２５）。この結果、前記温度Ｔ２が第１基準温度ＴＬ未満であれば、制御部６０は、加圧燃焼部４１への燃料の供給量を増やすために第５開閉弁Ｖ５の開度を上げ（ステップＳ２６）、再びステップＳ２５に戻る。例えば、第５開閉弁Ｖ５の開度は、１分で１％の割合で調整される。一方、前記温度Ｔ２が第１基準温度ＴＬ以上であれば（ステップＳ２５でＹＥＳ）、制御部６０は、前記温度Ｔ２が前記第２基準温度ＴＨ以下であるか否かを判断する（ステップＳ２７）。その結果、前記温度Ｔ２が第２基準温度ＴＨよりも大きい場合、制御部６０は、加圧燃焼部４１への燃料の供給量を減らすために第５開閉弁Ｖ５の開度を下げ（ステップＳ２８）、再びステップＳ２５に戻る。例えば、第５開閉弁Ｖ５の開度は、１分で１％の割合で調整される。
【００５２】
ステップＳ２７において、前記温度Ｔ２が第２基準温度ＴＨ以下であれば（ステップＳ２７でＹＥＳ）、制御部６０は、タービン２２に流入するガスの風量Ｑ２が前記第１基準風量ＱＬ以上であるか否かを判断する（ステップＳ２９）。この結果、前記風量Ｑ２が第１基準風量ＱＬ未満であれば、制御部６０は、空気供給装置４２の回転数を上げ（ステップＳ３０）、再びステップＳ２９に戻る。例えば、空気供給装置４２の回転数は、１分で１％の割合で調整される。一方、前記風量Ｑ２が第１基準風量ＱＬ以上であれば（ステップＳ２９でＹＥＳ）、制御部６０は、前記風量Ｑ２が前記第２基準風量ＱＨ以下であるか否かを判断する（ステップＳ３１）。その結果、前記風量Ｑ２が第２基準風量ＱＨよりも大きい場合、制御部６０は、空気供給装置４２の回転数を下げ（ステップＳ３２）、再びステップＳ２９に戻る。例えば、空気供給装置４２の回転数は、１分で１％の割合で調整される。
【００５３】
なお、タービン２２に流入するガスの温度Ｔ２が駆動温度となっており、タービン２２に流入するガスの風量Ｑ２が駆動風量となっている場合、タービン２２に流入するガスの圧力Ｐ２も駆動圧力になっていると推測される。前記温度Ｔ２、前記圧力Ｐ２及び前記風量Ｑ２は、それぞれ、空気供給流路Ｌ１のうち、駆動ガス生成部４０と空気供給流路Ｌ１との接続部と、タービン２２と、の間の部位に設けられた温度センサ７４、圧力センサ７５及び風量センサ７６により検出される。
【００５４】
次に、ステップＳ３１において、前記風量Ｑ２が第２基準風量ＱＨ以下であれば（ステップＳ３１でＹＥＳ）、すなわち、タービン２２に流入するガスの温度、圧力及び風量が駆動温度、駆動圧力及び駆動風量となっていれば、制御部６０は、流量調整弁Ｖ３の開度が全開であるか否かを判断する（ステップＳ３３）。この結果、流量調整弁Ｖ３の開度が全開でない場合、制御部６０は、再びステップＳ１２に戻る。一方、流量調整弁Ｖ３の開度が全開である場合、すなわち、加熱器５０から排出された空気の全量がタービン２２に供給されている状態でタービン２２に流入するガスの温度、圧力及び風量がそれぞれ駆動温度、駆動圧力及び駆動風量となっていれば、制御部６０は、駆動ガス生成部（加圧バーナ）４０を停止する（ステップＳ３４）。換言すれば、制御部６０は、空気供給装置４２を停止するとともに第５開閉弁Ｖ５を閉じる。このとき、例えば、空気供給装置４２の回転数及び第５開閉弁Ｖ５の開度は、それぞれ１分で１％の割合で調整される。
【００５５】
次に、制御部６０は、空気予熱器３０から排出された空気の温度Ｔ３が前記第１基準温度ＴＬ以上であるか否かを判断する（ステップＳ３５）。この結果、前記温度Ｔ３が第１基準温度ＴＬよりも小さい場合、制御部６０は、再びステップＳ３５に戻る一方、前記温度Ｔ３が第１基準温度ＴＬ以上である場合、制御部６０は、空気予熱器３０から排出された空気の加熱器５０での加熱を停止するために第１開閉弁Ｖ１及び第２開閉弁Ｖ２を閉じる（ステップＳ３６）。これにより、廃棄物処理システムの始動運転が終了し、定常運転に移行する。
【００５６】
なお、前記温度Ｔ３は、空気供給流路Ｌ１のうち空気予熱器３０と加熱器５０との間の部位に設けられた温度センサ７７により検出される。
【００５７】
以上に説明したように、本廃棄物処理システムでは、駆動ガス生成部４０、加熱器５０及び流量調整弁Ｖ３を有しているので、過給機２０の起動時に駆動ガス生成部４０からタービン駆動ガスをタービン２２に供給することによりタービン２２が安定的に起動（始動）される。そして、空気予熱器３０から排出された後に加熱器５０で加熱された空気の温度が駆動温度と同程度となったときに流量調整弁Ｖ３を開くことにより、タービン２２に対してタービン駆動ガスと同程度のエネルギーを有する空気が供給されるので、早期にタービン２２（過給機２０）が自立する。
【００５８】
また、この廃棄物処理システムでは、上記の操作が手動で行われてもよいが、上記の操作が制御部６０により自動で行われることにより、過給機２０がより安定的に自立する。
【００５９】
また、廃棄物処理システムは、加熱器５０から排出された排ガスを焼却炉１０に供給する熱エネルギー導入流路Ｌ３を備えているので、つまり、加熱器５０から排出された排ガスの熱が焼却炉１０に供給されるので、焼却炉１０の温度（焼却炉１０から排出される排ガスの温度）が有効に上昇する。
【００６０】
また、制御部６０は、加熱器５０から排出された空気の温度が前記駆動温度になった後、タービン２２に流入する空気の温度が前記駆動温度になることと、タービン２２に流入する空気の圧力が前記駆動圧力になること及びタービン２２に流入する空気の風量が前記駆動風量になることの少なくとも一方と、が満たされるように、流量調整弁Ｖ３の開度を次第に大きくする。よって、加熱器５０から排出された空気が駆動ガス生成部４０の供給するタービン駆動ガスと混合される際におけるガスの変動が抑制されるので、タービン２２のより安定的な駆動が確保される。
【００６１】
また、制御部６０は、流量調整弁Ｖ３の開度が最大になった後、タービン２２に流入する空気の温度が前記駆動温度になることと、タービン２２に流入する空気の圧力が前記駆動圧力になること及びタービン２２に流入する空気の風量が前記駆動風量になることの少なくとも一方と、を満たしたときに、駆動ガス生成部４０を停止する。換言すれば、制御部６０は、過給機２０が自立可能となったときに駆動ガス生成部４０を停止する。よって、過給機２０の自立に必要な駆動ガス生成部（加圧バーナ）４０の動力（空気供給装置４２の駆動電力及び燃料）が低減される。
【００６２】
また、制御部６０は、空気予熱器３０から排出された空気の温度Ｔ３が前記駆動温度であるときに、空気予熱器３０から排出された空気の加熱器５０での加熱を停止する（第１開閉弁Ｖ１及び第２開閉弁Ｖ２を閉じる）。よって、加熱器５０に供給される動力（燃料）が低減される。
【００６３】
また、廃棄物処理システムでは、流量調整弁Ｖ３が開かれるまでは、加熱器５０から排出された空気がバイパス流路Ｌ４を通じて焼却炉１０に供給される。よって、焼却炉１０の温度（焼却炉１０から排出される排ガスの温度）が有効に上昇する。
【００６４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６５】
例えば、制御部６０は、ステップＳ２９において、タービン２２に流入するガスの圧力Ｐ２が前記第１基準圧力ＰＬ以上であるか否かを判断し、ステップＳ３１において、タービン２２に流入するガスの圧力Ｐ２が前記第２基準圧力ＰＨ以下であるか否かを判断してもよい。
【００６６】
また、ステップＳ１２〜ステップＳ１５の制御（温度Ｔ１に基づく制御）、ステップＳ１６〜ステップＳ１９の制御（圧力Ｐ１に基づく制御）、及び、ステップＳ２０〜ステップＳ２３の制御（風量Ｑ１に基づく制御）は、いずれの順に行われてもよいし、同時に行われてもよい。同様に、ステップＳ２５〜ステップＳ２８の制御（温度Ｔ２に基づく制御）、及び、ステップＳ２９〜ステップＳ３２の制御（風量Ｑ２に基づく制御）は、いずれの順に行われてもよいし、同時に行われてもよい。
【００６７】
また、第１基準温度ＴＬ及び第２基準温度ＴＨは、互いに同じ値（駆動温度）に設定されてもよい。同様に、第１基準風量ＱＬ及び第２基準風量ＱＨは、互いに同じ値（駆動風量）に設定されてもよい。
【００６８】
また、制御部６０が省略され、各弁Ｖ１〜Ｖ５及び空気供給装置４２が手動で調整されてもよい。
【００６９】
また、駆動ガス生成部４０は、ボイラ（図示略）から得られる蒸気をタービン駆動ガスとしてタービン２２に供給してもよい。
【符号の説明】
【００７０】
１０    焼却炉
２０    過給機
２１    圧縮機
２２    タービン
３０    空気予熱器
４０    駆動ガス生成部（加圧タービン）
４１    加圧燃焼部
４２    空気供給装置（ブロワ）
４３    燃料供給部
４４    ガス冷却機構
５０    加熱器（バーナ）
５１    燃焼部
５２    燃料供給ライン
５３    ガス供給ライン
６０    制御部
Ｌ１    空気供給流路
Ｌ３    熱エネルギー導入流路
Ｌ４    バイパス流路
Ｖ１    第１開閉弁
Ｖ２    第２開閉弁
Ｖ３    流量調整弁
Ｖ４    第４開閉弁
Ｖ５    第５開閉弁
【図１】
2018025325.tif 000003
【図２】
2018025325.tif 000004
【図３】
2018025325.tif 000005
【手続補正書】
【提出日】平成29年11月16日(2017.11.16)
【手続補正１】
【補正対象書類名】特許請求の範囲
【補正対象項目名】全文
【補正方法】変更
【補正の内容】
【特許請求の範囲】
【請求項１】
廃棄物を処理する廃棄物処理システムであって、
廃棄物を燃焼する焼却炉と、
空気を圧縮する圧縮機、及び、前記圧縮機に接続されており当該圧縮機を駆動可能なタービンを含む過給機と、
前記圧縮機から吐出された空気と前記焼却炉から排出された排ガスとを熱交換させることによって前記空気を加熱する空気予熱器と、
前記圧縮機、前記空気予熱器、前記タービン及び前記焼却炉をこの順に接続しており、前記圧縮機から吐出された空気を前記焼却炉に供給する空気供給流路と、
前記タービンを駆動可能な駆動温度と、前記タービンを駆動可能な駆動圧力及び駆動風量の少なくとも一方と、を有するタービン駆動ガスを前記タービンに供給する駆動ガス生成部と、
前記空気供給流路のうち前記空気予熱器と前記タービンとの間の部位に設けられており、前記空気予熱器から排出された空気を加熱する加熱器と、
前記空気供給流路のうち前記加熱器と前記タービンとの間に設けられており、前記加熱器から排出された空気の前記タービンへの流入量を調整可能な流量調整弁と、
前記加熱器から排出された空気の温度が前記駆動温度になるように前記加熱器での前記空気の加熱量を調整する制御部と、を備え、
前記加熱器は、
前記空気予熱器から排出された空気を加熱する燃焼部と、
前記燃焼部に燃料を供給する燃料供給ラインと、
前記燃焼部に燃焼用ガスを供給するガス供給ラインと、
前記燃料供給ラインに設けられた第１開閉弁と、
前記ガス供給ラインに設けられた第２開閉弁と、を有し、
前記制御部は、前記加熱器から排出された空気の温度が前記駆動温度になるように前記第１開閉弁の開度を調整する、廃棄物処理システム。
【請求項２】
請求項１に記載の廃棄物処理システムにおいて、
前記加熱器から排出された排ガスを前記焼却炉に供給する熱エネルギー導入流路をさらに備える、廃棄物処理システム。
【請求項３】
廃棄物を処理する廃棄物処理システムであって、
廃棄物を燃焼する焼却炉と、
空気を圧縮する圧縮機、及び、前記圧縮機に接続されており当該圧縮機を駆動可能なタービンを含む過給機と、
前記圧縮機から吐出された空気と前記焼却炉から排出された排ガスとを熱交換させることによって前記空気を加熱する空気予熱器と、
前記圧縮機、前記空気予熱器、前記タービン及び前記焼却炉をこの順に接続しており、前記圧縮機から吐出された空気を前記焼却炉に供給する空気供給流路と、
前記タービンを駆動可能な駆動温度と、前記タービンを駆動可能な駆動圧力及び駆動風量の少なくとも一方と、を有するタービン駆動ガスを前記タービンに供給する駆動ガス生成部と、
前記空気供給流路のうち前記空気予熱器と前記タービンとの間の部位に設けられており、前記空気予熱器から排出された空気を加熱する加熱器と、
前記空気供給流路のうち前記加熱器と前記タービンとの間に設けられており、前記加熱器から排出された空気の前記タービンへの流入量を調整可能な流量調整弁と、
前記加熱器から排出された空気の温度が前記駆動温度になるように前記加熱器での前記空気の加熱量を調整する制御部と、を備え、
前記制御部は、前記加熱器から排出された空気の温度が前記駆動温度であるときに前記流量調整弁の開度を大きくする、廃棄物処理システム。
【請求項４】
請求項３に記載の廃棄物処理システムにおいて、
前記制御部は、前記加熱器から排出された空気の温度が前記駆動温度になった後、前記空気供給流路を通じて前記タービンに流入する空気の温度が前記駆動温度になることと、前記タービンに流入する空気の圧力が前記駆動圧力になること及び前記タービンに流入する空気の風量が前記駆動風量になることの少なくとも一方と、が満たされるように、前記流量調整弁の開度を次第に大きくする、廃棄物処理システム。
【請求項５】
請求項４に記載の廃棄物処理システムにおいて、
前記制御部は、前記流量調整弁の開度が最大になった後、前記空気供給流路を通じて前記タービンに流入する空気の温度が前記駆動温度になることと、前記空気供給流路を通じて前記タービンに流入する空気の圧力が前記駆動圧力になること及び前記空気供給流路を通じて前記タービンに流入する空気の風量が前記駆動風量になることの少なくとも一方と、を満たしたときに、前記駆動ガス生成部を停止する、廃棄物処理システム。
【請求項６】
請求項５に記載の廃棄物処理システムにおいて、
前記制御部は、前記空気供給流路のうち前記空気予熱器と前記加熱器との間の部位の温度が前記駆動温度であるときに、前記空気予熱器から排出された空気の前記加熱器での加熱を停止する、廃棄物処理システム。
【請求項７】
廃棄物を処理する廃棄物処理システムであって、
廃棄物を燃焼する焼却炉と、
空気を圧縮する圧縮機、及び、前記圧縮機に接続されており当該圧縮機を駆動可能なタービンを含む過給機と、
前記圧縮機から吐出された空気と前記焼却炉から排出された排ガスとを熱交換させることによって前記空気を加熱する空気予熱器と、
前記圧縮機、前記空気予熱器、前記タービン及び前記焼却炉をこの順に接続しており、前記圧縮機から吐出された空気を前記焼却炉に供給する空気供給流路と、
前記タービンを駆動可能な駆動温度と、前記タービンを駆動可能な駆動圧力及び駆動風量の少なくとも一方と、を有するタービン駆動ガスを前記タービンに供給する駆動ガス生成部と、
前記空気供給流路のうち前記空気予熱器と前記タービンとの間の部位に設けられており、前記空気予熱器から排出された空気を加熱する加熱器と、
前記空気供給流路のうち前記加熱器と前記タービンとの間に設けられており、前記加熱器から排出された空気の前記タービンへの流入量を調整可能な流量調整弁と、
前記加熱器から排出された空気の温度が前記駆動温度になるように前記加熱器での前記空気の加熱量を調整する制御部と、を備え、
前記駆動ガス生成部は、
加圧燃焼部と、
前記加圧燃焼部に空気を供給可能でかつ当該空気の風量を調整可能な空気供給装置と、
前記加圧燃焼部に燃料を供給する燃料供給部と、を有する、廃棄物処理システム。
【請求項８】
廃棄物を処理する廃棄物処理システムであって、
廃棄物を燃焼する焼却炉と、
空気を圧縮する圧縮機、及び、前記圧縮機に接続されており当該圧縮機を駆動可能なタービンを含む過給機と、
前記圧縮機から吐出された空気と前記焼却炉から排出された排ガスとを熱交換させることによって前記空気を加熱する空気予熱器と、
前記圧縮機、前記空気予熱器、前記タービン及び前記焼却炉をこの順に接続しており、前記圧縮機から吐出された空気を前記焼却炉に供給する空気供給流路と、
前記タービンを駆動可能な駆動温度と、前記タービンを駆動可能な駆動圧力及び駆動風量の少なくとも一方と、を有するタービン駆動ガスを前記タービンに供給する駆動ガス生成部と、
前記空気供給流路のうち前記空気予熱器と前記タービンとの間の部位に設けられており、前記空気予熱器から排出された空気を加熱する加熱器と、
前記空気供給流路のうち前記加熱器と前記タービンとの間に設けられており、前記加熱器から排出された空気の前記タービンへの流入量を調整可能な流量調整弁と、
前記空気供給流路のうち前記加熱器と前記流量調整弁との間の部位と、前記焼却炉と、を接続するバイパス流路と、を備える、廃棄物処理システム。
【請求項９】
廃棄物を燃焼する焼却炉と、空気を圧縮する圧縮機、及び、前記圧縮機に接続されており当該圧縮機を駆動可能なタービンを含む過給機と、前記圧縮機から吐出された空気と前記焼却炉から排出された排ガスとを熱交換させることによって前記空気を加熱する空気予熱器と、前記圧縮機、前記空気予熱器、前記タービン及び前記焼却炉をこの順に接続しており、前記圧縮機から吐出された空気を前記焼却炉に供給する空気供給流路と、前記タービンを駆動可能な駆動温度と、前記タービンを駆動可能な駆動圧力及び駆動風量の少なくとも一方と、を有するタービン駆動ガスを前記タービンに供給する駆動ガス生成部と、前記空気供給流路のうち前記空気予熱器と前記タービンとの間の部位に設けられており、前記空気予熱器から排出された空気を加熱する加熱器と、前記空気供給流路のうち前記加熱器と前記タービンとの間に設けられており、前記加熱器から排出された空気の前記タービンへの流入量を調整可能な流量調整弁と、を備える、廃棄物処理システムの起動方法であって、
前記加熱器から排出された空気の温度が前記駆動温度になるように前記加熱器での前記空気の加熱量を調整する工程と、
前記加熱器から排出された空気の温度が前記駆動温度になった後、前記空気供給流路を通じて前記タービンに流入する空気の温度が前記駆動温度になることと、前記タービンに流入する空気の圧力が前記駆動圧力になること及び前記タービンに流入する空気の風量が前記駆動風量になることの少なくとも一方と、が満たされるように、前記流量調整弁の開度を次第に大きくする工程と、を含む、廃棄物処理システムの起動方法。
【請求項１０】
請求項９に記載の廃棄物処理システムの起動方法において、
前記流量調整弁の開度が最大になった後、前記空気供給流路を通じて前記タービンに流入する空気の温度が前記駆動温度になることと、前記空気供給流路を通じて前記タービンに流入する空気の圧力が前記駆動圧力になること及び前記空気供給流路を通じて前記タービンに流入する空気の風量が前記駆動風量になることの少なくとも一方と、を満たしたときに、前記駆動ガス生成部を停止する工程をさらに含む、廃棄物処理システムの起動方法。
【請求項１１】
請求項１０に記載の廃棄物処理システムの起動方法において、
前記空気供給流路のうち前記空気予熱器と前記加熱器との間の部位の温度が前記駆動温度であるときに、前記空気予熱器から排出された空気の前記加熱器での加熱を停止する工程をさらに含む、廃棄物処理システムの起動方法。
【手続補正２】
【補正対象書類名】明細書
【補正対象項目名】０００５
【補正方法】変更
【補正の内容】
【０００５】
【特許文献１】特開２０１５−２２７７４８号公報